(57)【特許請求の範囲】
【請求項１】
前本体パネル（１）、前記前本体パネルからある距離に配置された後本体パネル（２）、及び、前記前本体パネルと前記後本体パネルとの間に架け渡されて前記前本体パネルと前記後本体パネルとに取り付けられた吸収部材（３）を備えるパンツ型の使い捨て可能な吸収物品であって、前記吸収物品が、縦中心軸Ｘ−Ｘと横中心軸Ｙ−Ｙとを含み、
前記前本体パネル（１）が、実質的に長方形であり、腰縁部（４）、２つの側縁部（５，６）、及び内縁部（７）を含み、前記内縁部（７）が、股縁部（８）、及び、前記股縁部の両側において前記股縁部（８）と各前記側縁部（５，６）との間にある足開口縁部（９，１０）を含み、前記前本体パネルが、少なくとも部分的に伸び縮みし、
前記後本体パネル（２）が、腰縁部（１２）、２つの側縁部（１３，１４）、股縁部（１５）、及び、前記股縁部の両側において前記股縁部（１５）と各前記側縁部（１３，１４）との間にある足開口縁部（１６，１７）を含み、前記股縁部（１５）から前記腰縁部（１２）までの距離が、前記側縁部（１３，１４）の長さより長く、前記後本体パネルが、少なくとも部分的に伸び縮みし、
前記前本体パネル（１）の前記側縁部（５，６）が、前記後本体パネル（２）の対応する前記側縁部（１３，１４）に結合され、
前記吸収部材（３）が、実質的に長方形の形状を呈し、且つ、液体浸透性のトップシート（１９）の層、吸収体（２０）、及び液体不浸透性のバックシート（２１）の層を備え、且つ、前記吸収部材（３）が、前記前本体パネル（１）に取り付けられた前取付部（２２）、前記後本体パネル（２）に取り付けられた後取付部（２３）、及び、前記前本体パネル（１）の前記内縁部の前記股縁部（８）から前記後本体パネル（２）の前記股縁部（１５）まで延びた中間股部（２４）を備え、
前記吸収体（２０）が、前記吸収物品の縦方向にとった全長Ｌ３をもち、前記前取付部（２２）が、前記吸収物品の縦方向にとった長さＬ４をもち、前記後取付部（２３）が、前記吸収物品の縦方向にとった長さＬ５をもち、前記中間股部（２４）が、前記吸収物品の縦方向にとった長さＬ６をもち、
前記吸収体（２０）の前記長さＬ３に対する前記中間股部（２４）の前記長さＬ６の比が、Ｌ６：Ｌ３＝１：２．４から１：３．５であり、且つ、
前記後取付部（２３）の前記長さＬ５に対する前記前取付部（２２）の前記長さＬ４の比が、Ｌ４：Ｌ５＝１：１．４から１：２．５であり、
前記横中心軸Ｙ−Ｙに一致する仮想的な中心線（２９）が、前記吸収物品を、縦方向の長さが等しい２つの部分に分割し、
前記仮想的な中心線（２９）が、前記吸収部材（３）の中間股部（２４）を前股部（３０）と後股部（３１）とに分割し、前記前股部（３０）が、前記仮想的な中心線（２９）と前記前本体パネル（１）の股縁部（８）との間に位置し、前記後股部（３１）が、前記仮想的な中心線（２９）と前記後本体パネル（２）の前記股縁部（１５）との間にあり、前記前股部（３０）が長さＬ１をもち、前記後股部（３１）が長さＬ２をもち、前記前股部（３０）の前記長さＬ１に対する前記後股部（３１）の前記長さＬ２の比がＬ２／Ｌ１＜０．４であるか、或いは、
前記後本体パネル（２）の前記股縁部（１５）が、前記仮想的な中心線（２９）の前に位置し、前記後本体パネルが弾性勾配を有し、前記後本体パネルの収縮力が、前記腰縁部から前記股縁部に向かう方向に小さくなり、
前記弾性勾配は、
前記腰縁部に隣接して位置し、第１の収縮力をもつ第１の弾性領域と、
前記第１の弾性領域に対して前記股縁部に向かう方向に隣接して位置し、前記第１の収縮力よりも小さい第２の収縮力をもつ第２の弾性領域と、
前記第２の弾性領域に隣接して位置し、前記第２の収縮力よりも小さい第３の収縮力をもつ第３の弾性領域と、
前記股縁部に最も近い、非弾性体である第４の領域と
によって得られる、吸収物品。
【請求項２】
前足弾性体（１１）が、前記前本体パネル（１）の各足開口縁部（９，１０）上に配置され、後足弾性体（１８）が、前記後本体パネル（２）の各足開口縁部（１６，１７）上に配置される、請求項１に記載の吸収物品。
【請求項３】
前記吸収部材（３）が、前記中間股部（２４）の両側にある足弾性体（２５）を備え、前記足弾性体が１つまたは複数の弾性糸の形態である、請求項１又は２に記載の吸収物品。
【請求項４】
前記吸収体（２０）の外部における前記吸収部材の両側には、側部漏れバリア（２６）が縦方向に配置されており、前記側部漏れバリア（２６）が、前記吸収部材（３）の実質的に全長に沿って延び、且つ、その遠位縁部に弾性体（２７）を備える、請求項３に記載の吸収物品。
【請求項５】
前記側部漏れバリア（２６）の前記弾性体（２７）が第１の収縮力Ｆ１をもち、前記中間股部（２４）上の前記足弾性体（２５）が第２の収縮力Ｆ２をもち、前記第２の収縮力が前記第１の収縮力よりも大きい、請求項４に記載の吸収物品。
【請求項６】
前記吸収部材（３）が、前記中間股部（２４）内に、シート材料の別ピースの形態である縁部被覆部材（３５）を備え、前記縁部被覆部材（３５）が、取付線（４１）に沿って前記バックシート（２１）の衣服側（３６）に取り付けられ、前記バックシート（２１）及び前記トップシート（１９）の縦縁部（３９，４０）の周囲に巻かれ、両側の前記弾性糸（３８）の内方側において前記トップシートの身体に面する側（３７）に取り付けられる、請求項４又は５に記載の吸収物品。
【請求項７】
前記縁部被覆部材（３５）が、最も外側の前記弾性糸の外部に過剰なシート材料が実質的に存在しないような方法で、前記バックシート（２１）と前記トップシート（１９）との前記縦縁部（３９、４０）の周囲に固く巻かれる、請求項６に記載の吸収物品。
【請求項８】
前記縁部被覆部材（３５）が、前記トップシート（１９）上の取付線（４９）からさらに内方側に延び、これにより前記側部漏れバリア（２６）が、前記縁部被覆部材（３５）と一体的に形成される、請求項６又は７に記載の吸収物品。
【請求項９】
失禁ガードとして使用されるために、前記吸収部材（３）の前記後取付部（２３）の前記長さＬ５が、前記吸収部材の前記前取付部（２２）の前記長さＬ４よりも６０〜１３０ｍｍ大きい、請求項１から８のいずれか一項に記載の吸収物品。
【請求項１０】
幼児用おむつとして使用されるために、前記吸収部材の前記後取付部（２３）の前記長さＬ５が、前記吸収部材の前記前取付部（２２）の前記長さＬ４よりも４０〜８０ｍｍ大きい、請求項１から９のいずれか一項に記載の吸収物品。
【発明の詳細な説明】
【技術分野】
【０００１】
本発明は、パンツ型の使い捨て可能な吸収物品に関する。
【背景技術】
【０００２】
パンツ型の吸収物品は、一般的に、パンツ形状のシャーシ構造部と、シャーシと一体化された吸収コア構成要素とを含む。パンツ型の吸収物品を設計するときの主目的は、それらの物品をできる限り通常の下着に正確に似せることである。そのため、パンツ型おむつ、生理用パンツ、および失禁パンツなどの吸収物品は、着用者の周りに快適に且つぴったりとフィットするように設計される。吸収物品を下着のパンツと同様に着用者の尻の周りで引き上げること、および引き下げることが可能であり、着用者または介護者が汚れた吸収物品を簡単に取り外して、新しくてきれいな吸収物品と交換することを可能にすることがさらに望ましい。これらの理由により、吸収物品のシャーシは、通常、腰の周囲で、着用者の尻の周りに配置されることが意図される領域において弾性的に伸縮可能な材料により作られる。パンツ型の吸収物品の一例が、下記の特許文献１に示される。
【先行技術文献】
【特許文献】
【０００３】
【特許文献１】欧州特許第２１２０８２８号明細書
【発明の概要】
【課題を解決するための手段】
【０００４】
本発明の目的は、着用者の快適さが向上し、且つ、漏れの危険性を減らした、パンツ型の使い捨て可能な吸収物品を提供することである。吸収物品は、前本体パネルと、前本体パネルからある距離に配置された後本体パネルと、前本体パネルと後本体パネルとの間に架け渡されて前本体パネル及び後本体パネルに取り付けられた吸収部材とを備え、縦中心軸Ｘ−Ｘと横中心軸Ｙ−Ｙとをもつ。前本体パネルは、実質的に長方形であり、腰縁部と２つの側縁部と内縁部とを含み、内縁部が、股縁部と、股縁部の両側において股縁部と各側縁部との間にある足開口縁部とを備える。前本体パネルは、少なくとも部分的に伸び縮みする。後本体パネルは、腰縁部と、２つの側縁部と、股縁部と、股縁部の両側において股縁部と各側縁部との間にある足開口縁部とを含み、股縁部から腰縁部までの距離が、側縁部の長さより大きい。後本体パネルは、少なくとも部分的に伸び縮みする。前本体パネルの側縁部は、後本体パネルの対応する側縁部に結合される。
【０００５】
吸収部材は、実質的に長方形の形状をもち、液体浸透性トップシート層と、吸収体と、液体不浸透性バックシート層とを備える。吸収部材は、前本体パネルに取り付けられた前取付部と、後本体パネルに取り付けられた後取付部と、前本体パネルの内縁部の股縁部から後本体パネルの股縁部まで延びた中間股部とを更に備える。
【０００６】
横中心軸Ｙ−Ｙに一致する仮想的な中心線は、吸収物品を、縦方向の長さが等しい２つの部分に分割する。仮想的な中心線は、吸収部材の中間股部を、仮想的な中心線と前本体パネルの股縁部との間に位置する前股部と、仮想的な中心線と後本体パネルの股縁部との間の後股部とに分割してもよく、前股部は長さＬ１をもち、後股部は長さＬ２をもち、前股部の長さＬ１に対する後股部の長さＬ２の比はＬ２／Ｌ１＜０．４、好ましくは、＜０．３、より好ましくは、＜０．２５である。代替的に、後本体パネルの股縁部は、仮想的な中心線の前に位置する。この構造により、後本体パネルは、後本体パネルの股縁部が物品内の前方の比較的遠くにある状態で、吸収部材に取り付けられ、足開口縁部は、使用時、着用者の足の比較的低い位置にある。それにより、後本体パネルは、着用者の臀部の大部分を覆い、着用者に快適さを与え、漏れの危険性を減らす。
【０００７】
吸収体は、吸収物品の縦方向にとった全長Ｌ３をもち、前取付部は、吸収物品の縦方向にとった長さＬ４をもち、後取付部は、吸収物品の縦方向にとった長さＬ５をもち、中間股部は、吸収物品の縦方向にとった長さＬ６をもつ。好ましくは、吸収体の長さＬ３に対する中間股部の長さＬ６の比は、Ｌ６：Ｌ３＝１：２．４から１：３．５、好ましくは、１：２．５から１：３であり、後取付部の長さＬ５に対する前取付部の長さＬ４の比は、Ｌ４：Ｌ５＝１：１．４から１：２．５、好ましくは、１：１．６から１：２．３、最も好ましくは、１：１．８から１：２．２である。これは、着用者の身体に対する吸収物品の適合に更に寄与する。
【０００８】
前足弾性体は、前本体パネルの各足開口縁部に配置されてもよく、後足弾性体は、後本体パネルの各足開口縁部に配置され得る。  吸収部材は、好ましくは、中間股部の両側にある足弾性体を備え、前記足弾性体は１つまたは複数の弾性糸の形態である。側部漏れバリアは、有利には、吸収体の外部における吸収部材の両側において縦方向に配置されており、その側部漏れバリアは、吸収部材の実質的に全長に沿って延び、且つ、その遠位縁部に弾性体を備える。
【０００９】
吸収部材は、中間股部に、別ピースのシート材料からなる縁部被覆部材を備えてもよく、その縁部被覆部材は、取付線に沿ってバックシートの衣服側に取り付けられ、バックシート及びトップシートの縦縁部の周囲に巻かれ、両側の足弾性体の内方側におけるトップシートの身体に面する側に取り付けられる。縁部被覆部材は、最も外側の弾性糸の外部に過剰なシート材料が実質的に存在しないような方法で、バックシートとトップシートとの縦縁部の周囲に固く巻かれ得る。また、縁部被覆部材は、トップシートにおける取付線からさらに内方側に延びてもよく、これにより側部漏れバリアが、縁部被覆部材と一体的に形成される。
【００１０】
側部漏れバリアの弾性体が、第１の収縮力Ｆ１をもってもよく、中間股部における足弾性体が、第２の収縮力Ｆ２をもってもよく、第２の収縮力が、第１の収縮力より大きい。
【００１１】
さらに、後本体パネルは、腰縁部から股縁部に向かう方向に、後本体パネルの収縮力が小さくなる弾性勾配を有してもよい。
【００１２】
上記の吸収物品が失禁ガードとして使用されることが意図される場合、吸収部材の後取付部の長さＬ５は、吸収部材の前取付部の長さＬ４より６０〜１３０ｍｍ大きい。
【００１３】
上記の吸収物品が幼児用おむつとして使用されることが意図される場合、吸収部材の後取付部の長さＬ５は、吸収部材の前取付部の長さＬ４より４０〜８０ｍｍ大きい。
【図面の簡単な説明】
【００１４】
【図１】パンツ型吸収物品の概略図である。
【図２】第１の実施形態の概略図である
【図３】第２の実施形態の概略図である。
【図４】第３の実施形態の概略図である。
【図５】側部漏れバリアをさらに含む、第１の実施形態と同様の第４の実施形態の概略図である。
【図６】吸収部材の概略断面図である。
【図７】吸収層の概略上面図である。
【発明を実施するための形態】
【００１５】
パンツ型使い捨て可能吸収物品は、前本体パネルと、前本体パネルからある距離に配置された後本体パネルと、前本体パネルと後本体パネルとの間に架け渡されて前本体パネル及び後本体パネルに取り付けられた吸収部材とを備える。吸収物品は、肌着と同様に取り付けられ得る、パンツのような吸収物品を形成するように組み合わされた３つの分離した主な構成要素を備える。使い捨て可能とは、物品が一回のまたは一時的な使用のためのものであり、汚れたときに捨てられることが意図されことを意味する。
【００１６】
前本体パネルは、実質的に長方形であり、腰縁部と２つの側縁部と内縁部とを含み、内縁部が、股縁部と、股縁部の両側において股縁部と各側縁部との間にある足開口縁部とを備える。股縁部は、腰縁部に対して実質的に平行であり得るか、または、わずかに湾曲し得る。股縁部と足開口縁部とは、典型的には、足開口部分の間において股縁部部分と並んで位置する内縁部の構成部分により形成され得る。実質的に長方形とは、股縁部と足開口縁部とのすべてが腰縁部から同じ距離にあるように、または、股縁部と足開口縁部とのすべてが、長方形からわずかに逸脱し得るように、例えば、腰縁部からの股縁部の距離が側縁部の長さよりある程度大きく、足開口縁部が股縁部に対して傾斜するように、前本体パネルが、長方形であり得ることを意味する。足開口縁部は、また、わずかに湾曲し得る。
【００１７】
後本体パネルは、腰縁部と、２つの側縁部と、股縁部と、股縁部の両側において股縁部と各側縁部との間にある足開口縁部とを含む。股縁部から腰縁部までの距離は、側縁部の長さより大きい。股縁部は、腰縁部に対して実質的に平行であり得るか、または、わずかに湾曲し得る。
【００１８】
パンツ型吸収物品は、シャーシ構造部の側縁部における縫合部または結合部を含んで形成されることで、前パネルを後パネルに結合し、且つ、腰開口と足開口とを含むパンツを形成する。側部結合部は、吸収パンツの使用中、使用者の尻に配置されるように構成され得るが、縫合部は、さらに、物品のより前に配置され得る。側部縫合部は、好ましくは、吸収パンツが取り付けられる動作中であるときと、吸収パンツが取り付けられた状態にあるときとにおいて、側部縫合部がシャーシに十分な一体性を提供するように形成される。
これは、側部縫合部が、パンツ型物品が着用者の尻の周りで引き上げられるときに発生する引張応力と、さらには、物品の使用中、着用者の動きにより側部縫合部において発生し得るあらゆる応力に耐えなければならないことを意味する。しかし、汚れた物品が足に沿って引き下げられる必要なく使用者から簡単に取り外され得るように、物品の使用後、所定の方法で側部縫合部が分解され得るのであれば有益であり得る。側部縫合部は、シャーシ材料における熱可塑性部材の超音波溶接または熱溶接などの溶接技術、または、接着剤により形成され得る。後本体パネルの側縁部は、好ましくは、前本体パネルの側縁部と少なくとも同じ長さをもつ。
【００１９】
前本体パネルと後本体パネルとは、不織材料または穴あき薄膜などの通気性薄膜材料で作られてもよく、材料は、液体浸透性でもあり得る。前本体パネルと後本体パネルとの材料は、単層、または同じまたは異なる材料の２つ以上の層を備える積層体であり得る。
【００２０】
吸収物品の様々な位置に弾性体が含まれ得る。弾性は、弾性体が特定の長さまで伸ばされたときに収縮する力である収縮力として表され得る。異なる構成要素の間における弾性の比を評価するとき、全ての構成要素に対して同じである限り、どの方法が使用されるかは重要ではない。
【００２１】
収縮力を測定する方法の一例が以下で説明される。
【００２２】
足弾性部材と内側漏れバリアとにおける弾性体の要素の収縮力を測定する方法
【００２３】
定義
【００２４】
収縮力Ｐ（Ｘ）は、最大許容伸張量のＸ％を残すように伸ばされた試料の弾性力である。例えば、Ｐ（３０）は、最大許容伸張量の７０％まで試料が伸ばされたときの得られる収縮力である。
【００２５】
器具
【００２６】
−  試験される吸収物品
−  ５００ｍｍ／分の一定速度で移動する可動シリンダと２０Ｎの荷重計とを含む引張試験装置
−  例えば、テープ、紙クリップ、磁石などの、吸収物品を伸ばして最大許容伸張量を決定するための機器
−  マーカーペンおよびはさみ
−  ストップウォッチ
−  ｍｍの目盛りの付いた定規
−  ｍｍの目盛りの付いた自在曲線定規。自在曲線定規は、例えば、ｓｃａｌｅｒｕｌｅｒｓ．ｃｏｍ、またはｗｗｗ．ｍａｔｔｏｎｂｕｔｉｋｅｎ．ｓｅで購入され得る。
−  試験プロトコル
【００２７】
収縮力を測定するための試料の準備
【００２８】
Ａ）  吸収物品がパンツ物品である場合、側部結合部をそっと破ることにより側部を開けることを開始する。
【００２９】
Ｂ）  足弾性体の要素および／または内側漏れバリアの弾性体の要素の最大許容伸張量を測定するため、吸収物品が伸ばされ、吸収物品の角が平らな面に固定される。それにより、足開口と内側漏れバリアの弾性部材との周辺の材料は、実質的に平坦化され、すなわち、実質的にしわを含まないように、吸収物品が伸ばされなければならない。吸収物品は、液体浸透性トップシート層またはバックシート層が伸ばされすぎる程度まで伸ばされてはならないが、吸収物品が実質的にしわを含まなくなるまでに限って伸ばされなければならない。延びた状態における吸収物品の角の固定は、好ましくは、テープ、紙クリップ、磁石などを使用して実行される。
【００３０】
Ｃ）  ２００ｍｍ±２ｍｍの長さをもつ区域が、伸ばされた足弾性体の要素と伸ばされた内側漏れバリアの弾性体の要素との上で印を付けられる。弾性体の要素が、伸ばされたときに長さ２００ｍｍの印を付けることが可能な長さをもたない場合、１００ｍｍ±１ｍｍの長さをもつ区域が代わりに選択され得る。印を付けられた区域は、実質的に、縦方向における弾性部材の中点を中心として配置されなければならない。
【００３１】
足弾性体の要素または側部漏れバリアの弾性体の要素の広がりは、湾曲した伸展部を示し、２００ｍｍ±２ｍｍ（または、１００ｍｍ±１ｍｍ）の長さをもつ区域が自在曲線定規により計測され、このとき、自在曲線定規が、湾曲した弾性体の要素に沿って配置された後、２００ｍｍ±２ｍｍ（または、１００ｍｍ±１ｍｍ）の区域に印を付ける。
【００３２】
Ｄ）  足弾性体の要素の収縮力を測定するため、線が描かれ、線は、その外部と内部とのそれぞれにおいて最も外側と最も内側とに配置された弾性体の要素から５ｍｍ±１ｍｍの距離において弾性体の要素と平行である。
【００３３】
次に、試料ストリップが、描かれた線に沿って切り出される。各ストリップは、足開口に位置するすべての弾性体の要素を含む。ストリップは、可能な限り長く、好ましくは、吸収物品の全長にわたって切られなければならない。
【００３４】
足開口において最も外側の弾性体の要素の外部に存在する材料が５ｍｍ未満である場合、線は描かれず、材料は切除されない。試験プロトコルではこの点に注意が払われた。
【００３５】
足開口において最も内側の弾性体の要素が、吸収体の縦縁部から５ｍｍ未満に位置する場合、線は描かれない。試料ストリップが、次に、できる限り吸収体の近くで、吸収体の縦縁部に沿って切られる。試験プロトコルではこの点に注意が払われた。吸収物品から分離された試料ストリップは、完全に伸展していない状態で少なくとも３０分にわたって放置されなければならない。
【００３６】
内側漏れバリアの弾性体の要素の収縮力を測定するため、内側漏れバリアの自由縁部の方向において最も外側の弾性体の要素から５ｍｍ±１ｍｍの距離において弾性部材と平行に第１の線が描かれる。最も外側の弾性体の要素とは、内側漏れバリアの自由縁部の最も近くに配置された弾性体の要素を意味する。最も外側の弾性体の要素と自由縁部との間の距離が５ｍｍ未満である場合、第１の線は描かれない。試験プロトコルではこの点に注意が払われた。
【００３７】
液体浸透性トップシート層への内側漏れバリアの接続部、すなわち、内側漏れバリアの近位縁部に向かう方向において最も内側の弾性体の要素から５ｍｍ±１ｍｍの距離において弾性体の要素に平行な第２の線が描かれる。最も内側の弾性体の要素とは、トップシート層の最も近くに配置された弾性体の要素を意味する。最も内側の弾性体の要素と液体浸透性トップシート層との間の距離が５ｍｍ未満である場合、第２の線は描かれない。試験プロトコルではこの点に注意が払われた。
【００３８】
試料ストリップは、描かれた第１の線と第２の線とに沿って切り出され、各ストリップが、すべての弾性体の要素を含む。上記の第１の線が描かれない場合、材料が切り離されず、第２の線が描かれない場合、ストリップは、液体浸透性トップシート層のできる限り近くで切られる。ストリップは、可能な限り長く、好ましくは、吸収物品の全長にわたって切られなければならない。吸収物品から分離された試料ストリップは、完全に伸展していない状態で少なくとも３０分にわたって放置されなければならない。
【００３９】
試験
【００４０】
最大許容伸張量の３０％が残るように伸ばされたときの弾性体の要素に関する試験が本明細書で説明される。収縮力Ｐ（３０）が測定されるとき、切られたストリップは、引張試験装置内に配置され、最大許容伸張量（２００±２ｍｍまたは１００±１ｍｍ）の７０％まで、すなわち、作成された印の間の距離が１４０ｍｍ（１００ｍｍ±１ｍｍの距離に印が作られた場合は、７０ｍｍ）となるまで伸ばされる。最大許容伸張量の７０％は、最大許容伸張量の３０％が残ること、すなわち、用語Ｐ（３０）を意味する。試料の収縮力Ｐ（３０）は、伸びの完了後、５秒内に記録される。
【００４１】
足開口の弾性体の要素に対する完全な試験結果を取得するため、３つの吸収物品の右足開口と左足開口との両方の弾性体の要素が試験されなければならない。足開口の弾性体の要素のＰ（３０）は、試験された６つの要素の平均値である。
【００４２】
内側漏れバリアの弾性体の要素に対する完全な試験結果を取得するため、３つの吸収物品の右内側漏れバリアと左内側漏れバリアとの両方の弾性体の要素が、試験されなければならない。内側漏れバリアの弾性体の要素のＰ（３０）は、試験された６つの要素の平均値である。
【００４３】
足開口の弾性体の要素または内側漏れバリアの弾性体の要素の１つに対する１００±１ｍｍの試料と、他方の要素に対する２００±２ｍｍの試料とのＰ（３０）値を測定することのみが可能である場合、次に１００±１ｍｍの試料に対して計測されたＰ（３０）値が使用されることとし、２００±２ｍｍの試料に対して計測されたＰ（３０）値が使用されることとする。
【００４４】
吸物品の利便性の高い着衣と脱衣とを可能にするため、前本体パネルと後本体パネルとの両方が、少なくとも部分的に伸び縮みする。弾性体は、前パネルと後パネルとを形成する布上に複数の実質的に平行な弾性糸を取り付けることによって得ることができ、糸間の距離は、着用者の尻の周囲における所望の適合性を実現するように選択され得る。例えば、弾性糸は、腰縁部と股縁部との間において、着用者の腹と背中との複数部分を実質的に覆う領域内より、腰縁部の領域内において互いにより近いものであり得る。
【００４５】
前本体パネルは、好ましくは、腰縁部と平行な方向に、前本体パネルの表面全体を実質的に覆うように分布した弾性糸を備え得る。後本体パネルは、着用者の体の周囲における適合性を改善することを可能にするため、腰縁部から股縁部に向かう方向に、後本体パネルの収縮力が小さくなる弾性勾配を含み得る。このような弾性勾配は、異なる弾性の、すなわち、異なる収縮力をもつ複数の領域を備える後本体パネルにより実現され得る。例えば、第１の収縮力をもつ第１の弾性領域は、腰縁部に隣接して位置してもよく、第１の収縮力より小さな第２の収縮力を、股縁部に向かう方向にもつ第２の弾性領域は、第１の弾性領域に隣接して位置し得る。第２の収縮力より小さな第３の収縮力をもつ第３の弾性領域は、第２の弾性領域に隣接して位置し得る。さらに、後本体パネルは、股縁部に最も近い第４の領域を備えてもよく、第４の領域は、実質的に非弾性である。上記の第１の領域から第３の領域の縦方向に組み合わされた長さは、好ましくは、前本体パネルと後本体パネルとを結合する側部縫合部の長さと実質的に同じである。第１の弾性領域から第３の弾性領域において、所望の収縮力は、腰縁部に向かう方向に隣接した前領域に比べて、各領域内において互いからより大きな距離にある糸を使用して、各領域内で一様に分散した弾性糸により実現され得る。代替的に、後本体パネルは、腰縁部から股縁部に向けて収縮力が連続的に小さくなる弾性領域を備えてもよく、領域が、足開口縁部が側部縫合部に交わる点の間の線付近で終わる。連続的に小さくなる弾性は、後本体パネルに取り付けられた弾性糸間の距離が連続的に大きくなることにより実現され得る。代替的に、弾性不織薄膜または弾性薄膜などの弾性布材料、または、弾性布材料含む積層体が、前本体パネルと後本体パネルとに使用され得る。また、弾性布または積層体は、弾性糸と一体化され得る。
【００４６】
吸収部材は、実質的に長方形の形状をもち、前本体パネルと後本体パネルとへの取り付けにより吸収物品に一体化された独立した構成要素、すなわち「コアパック」として形成される。吸収部材は、液体浸透性トップシート層と、吸収体と、液体不浸透性バックシート層とを備える。吸収体の縦方向の長さは、典型的には、吸収部材に含まれるトップシートとバックシートとの縦方向の長さよりわずかに小さい。吸収体は、実質的に長方形であり得るか、または、吸収体の端部より股領域においてより狭くなるように形作られ得る。液体浸透性トップシート層は、例えば、不織材料の層、穴付きプラスチック薄膜、網状材料、トウなど、同じ目的のために知られたあらゆる材料からなり得る。トップシートは、さらに、同じまたは異なる材料の２つ以上のシートの積層体からなり得る。液体不浸透性バックシート層は、液体不浸透性プラスチック薄膜、液体阻止材料により被覆された不織シート、または、液体の浸透を防ぐ機能をもつ何らかの他の可撓性材料シートからなり得る。しかし、液体不浸透性バックシート層が通気性をもつ、すなわち、バックシートを通して水蒸気の通過を可能にするのであれば有益であり得る。
【００４７】
吸収体は、例えば、セルロース綿毛状パルプ、ティッシュ、吸収発泡体などの吸収材により形成され得る。また、吸収コアは、自身の何倍もの重さに対応する体液を吸収して、ヒドロゲルを形成可能な高吸収剤、すなわちポリマー材料を含有し得る。このような高吸収剤は、通常、粒子の形態をとるが、繊維、薄片、微小体、および薄膜も利用可能である。さらに、吸収体は、例えば、補強要素、成型要素、結合剤など非吸収性構成要素を備え得る。吸収体は、例えば、セルロースパルプと高吸収性粒子とを含むエンボス層の形態で吸収材を含み得る。エンボス層は、吸収材の層にわたって実質的に一様に分布したエンボスパターンを形成するエンボス領域を備え得る。エンボス領域は、吸収材の層の表面の５〜１５％、より好ましくは、７〜１３％を覆い、吸収材の層の一体性に寄与する。吸収体内に含まれる吸収材の層は、０．０９２〜０．１６０ｇ／ｃｍ３の密度と４８０〜６４０ｇ／ｍ２の坪量とを適切にもち得る。吸収材は、エンボス領域において０．２８〜０．６２ｇ／ｃｍ３の密度を適切にもつ。
【００４８】
所望される場合、吸収体は、股部における吸収部材のボウル形状に寄与するため、吸収部材の吸収体内に含まれる吸収材の層において縦方向に配置された２つの屈曲線をさらに備え得る。屈曲線は、平行に配置されてもよく、直線またはわずかに弓状の線の形態であり得る。好ましくは、このような屈曲線は、吸収体の長さＬ３の１０〜５０％に沿って延びる。例えば、屈曲線は、エンボス線であってもよく、エンボス線において、吸収材は、吸収材の層の全厚より小さな厚さまで圧縮される。従って、屈曲線の領域における密度は、好ましくは、エンボスパターンのエンボス領域における密度以上である。代替的に、屈曲線は、０〜７ｍｍの横方向幅をもつ吸収材の層における切り込みまたは縦開口の形態であり得る。
【００４９】
繊維断片、ＳＡＰ粒子などを吸収体内に保つため、吸収体は、液体浸透性ティッシュの層内に封入されてもよい。吸収部材は、勿論、本明細書に記載の構成要素に加えて更なる構成要素を含むことができる。吸収体に重ねて、特定の捕捉構造物が使用されてもよい。
【００５０】
吸収部材は、前本体パネルに取り付けられた前取付部と、後本体パネルに取り付けられた後取付部と、前本体パネルの内縁部の股縁部から後本体パネルの股縁部まで延びた中間股部とをさらに備える。
【００５１】
吸収部材に含まれる様々な構成要素は、従来の方法で、例えば、接着剤による接合、超音波溶接、または熱溶接により互いに接続され得る。
【００５２】
吸収物品は、縦中心軸Ｘ−Ｘと横中心軸Ｙ−Ｙとを含む。横中心軸Ｙ−Ｙに一致する仮想的な中心線は、吸収物品を縦方向の長さの等しい２つの部分に分割する。仮想的な中心線は、吸収部材の中間股部を、仮想的な中心線と前本体パネルの股縁部との間に位置する前股部と、仮想的な中心線と後本体パネルの股縁部との間の後股部とに分割することができ、前股部が長さＬ１をもち、後股部が長さＬ２をもち、前股部の長さＬ１に対する後股部の長さＬ２の比は、Ｌ２／Ｌ１＜０．４、好ましくは、＜０．３、より好ましくは、＜０．２５である。
【００５３】
代替的に、後本体パネルの股縁部は、仮想的な中心線の前に位置する。この構造により、後本体パネルは、後本体パネルの股縁部が物品内の前方の比較的遠くにある状態で、吸収部材に取り付けられ、足開口縁部は、使用時、着用者の足の比較的低い位置にある。それにより、後本体パネルは、着用者の臀部の大部分を覆い、着用者に快適さを与え、漏れの危険性を減らす。
【００５４】
吸収部材の吸収体は、好ましくは、長尺形状をもち、適切には股部の縦方向の長さを上回る全長Ｌ３であり得る。吸収体の前取付部は、吸収物品の縦方向にとった長さＬ４があり、後取付部は、吸収物品の縦方向にとった長さＬ５がある。吸収体の長さＬ３に対する中間股部の長さＬ６の比は、好ましくは、Ｌ６：Ｌ３＝１：２．４から１：３．５、好ましくは、１：２．５から１：３であり、後取付部の長さＬ５に対する前取付部の長さＬ４の比は、Ｌ４：Ｌ５＝１：１．４から１：２．５、好ましくは、１：１．６から１：２．３、最も好ましくは、１：１．８から１：２．２である。それにより、吸収部材の最適な配置が実現され、その結果、最適な物品の適合性が実現される。
【００５５】
物品の適合性をさらに改善するため、前足弾性体は、前本体パネルの各足開口縁部に配置されてもよく、後足弾性体は、後本体パネルの各足開口縁部に配置され得る。吸収部材は、中間股部の両側における足弾性体をさらに備えてもよい。これらの足弾性体は、例えば、１つまたは複数の弾性糸または弾性紐の形態であり得る。１つまたは複数の弾性糸は、各足開口縁部に別々に取り付けられ得るので、弾性糸の長さは、足開口縁部の長さ以下である。それにより、製品が、着用者の大腿部を封止し、内側漏れバリアの外部に達し得る、あらゆる液体および／または排泄物に対する別の漏れバリアを形成する。代替的に、１つまたは複数の弾性糸は、前本体パネルの内縁部全体に沿って取り付けられ得るので、同じ弾性糸が、前本体パネルの足開口縁部の両方における足弾性体として機能する。この場合、弾性糸がさらに吸収部材の幅にわたって延び、弾性糸が吸収部材を横切って延びる湾曲上に、弾性糸が取り付けられてもよく、それにより、弾性糸が足開口部分より、股縁部部分において前本体パネルの内縁部から遠くに離れている。股縁部部分にわたるこのような湾曲形状の弾性体が、吸収体の股部におけるボウル形状に寄与し得る。
【００５６】
また、側部漏れバリアが、吸収体の外部における吸収部材の両側において縦方向に配置されてもよく、これにより、側部漏れバリアが、吸収部材の実質的に全長に沿って延び、弾性体が、側部漏れバリアの遠位縁部に適切に備えられ得る。側部漏れバリアの弾性体は、第１の収縮力Ｆ１を有してもよく、中間股部における足弾性体は、第２の収縮力Ｆ２を有してもよく、第２の収縮力は、第１の収縮力より大きい。上述したように、収縮力は、弾性体が特定の長さまで伸ばされたときに収縮する力である。収縮力Ｆ１とＦ２とは、上述の方法により適切に測定される。側部漏れバリアの弾性体の収縮力Ｐ（３０）は、Ｆ１に対応し、中間股部における足弾性体のＰ（３０）は、Ｆ２に対応する。本明細書の場合において、収縮力は、側部漏れバリアの弾性体と、関連する中間股部における足弾性体との間の関係であり、このことは、収縮力を決定するためにどの方法が使用されるかは重要ではないことを意味する。側部漏れバリアの弾性体と中間股部における足弾性体との収縮力は、弾性体が物品内に組み込まれたときの収縮力を表し、従って、それぞれ、弾性材料と製品要素に含まれるあらゆる他の層とを含む、製品要素の側部漏れバリアと股部縁部との収縮力を表す。
【００５７】
収縮力Ｆ１とＦ２との比により、足弾性体が側部漏れバリアより収縮することが、股部における改善されたボウル形状をもたらす。これは、液体のたまりを一時的に貯蔵する吸収物品の機能を高め、液体のたまりは、続いて吸収体により吸収される。
【００５８】
第２の収縮力Ｆ２に対する第１の収縮力Ｆ１の比は、好ましくは、Ｆ１：Ｆ２＝１：１．２から１：２．８、好ましくは、１：１．５から１：２．５、より好ましくは、１：１．７から１：２．３である。足弾性体は、皮膚に対して密な適合と封止とを提供しなければならない大腿部と鼠径部領域とに隣接して位置するので、使用中、より大きな収縮力をもち得る。側部漏れバリアは、皮膚に対する良好な封止をさらに提供なければならないが、側部漏れバリアは、典型的には、側部漏れバリアを繊細な生殖器に接触させる内向き配向をとるので、それほど大きな収縮力をもたないことがあり得る。上記の所与の比は、大腿部の周囲に密な適合を提供する足弾性体と、生殖器領域における皮膚に対してより緩い封止を提供する漏れバリアとに最適であることが見出された。
【００５９】
側部漏れバリアの弾性体は、長さＬ１０をもち、中間股部における足弾性体は、長さＬ１２をもち、側部漏れバリアの弾性体（２７）の長さＬ１０に対する足弾性体（２５）の長さＬ１２の比は、Ｌ１２：Ｌ１０＝１：１．２から１：２、好ましくは、１：１．４から１：１．８である。
【００６０】
側部漏れバリア内の弾性体と股部足弾性体とのために使用される弾性材料は、同じであり得るか、または異なり得る。例えば、本質的に同じ弾性、すなわち同じ収縮力をもつ弾性糸が使用されてもよく、従って、立位ひだ弾性体より足弾性体に、より多くの弾性糸が配置され、例えば、足弾性体における３つの弾性糸と、立位ひだ弾性体における２つの弾性糸が配置される。
【００６１】
代替的に、本質的に異なる弾性をもつ弾性糸または紐が使用され得るか、または、類似の弾性糸または紐が、取り付け時に異なって引張され得る。
【００６２】
吸収部材は、中間股部に、別ピースのシート材料からなる縁部被覆部材を備え得る。そして、縁部被覆部材は、取付線に沿ってバックシートの衣服側に取り付けられ、バックシート及びトップシートの縦縁部の周囲に巻かれ、両側の足弾性体の内方側においてトップシートの身体に面する側に取り付けられ得る。縁部被覆部材は、例えば、不織材料または穴あき薄膜のストリップであってもよく、溶接または接着によりバックシートとトップシートとに取り付けられ得る。さらに、縁部被覆部材は、最も外側の弾性糸の外部に過剰なシート材料が実質的に存在しないような方法で、バックシートとトップシートとの縦縁部の周囲に固く巻かれてもよく、それにより、吸収部材の縁部は、滑らかな縁部境界により着用者の体に接触してもよく、適合性と着用者の快適さとにさらに寄与する。
【００６３】
さらに、縁部被覆部材がトップシートにおける取付線からさらに内方側に延び得ることにより、側部漏れバリアが縁部被覆部材と一体的に形成され、それにより、独立した部品の数が減るため効果的な製造が可能となる。
【００６４】
パンツ型の吸収物品は、失禁ガードまたは幼児用おむつとして使用され得る。吸収物品が失禁ガードとして使用されることが意図される場合、吸収部材の後取付部の長さＬ５は、吸収部材の前取付部の長さＬ４より６０〜１３０ｍｍ大きなものであり得る。吸収物品が幼児用おむつとして使用されることが意図される場合、吸収部材の後取付部の長さＬ５は、吸収部材の前取付部の長さＬ４より４０〜８０ｍｍ大きなものである。
【００６５】
以下、吸収物品を、例示的な実施形態によって、図面を参照しながら説明する。
【００６６】
例示的な実施形態の説明
【００６７】
様々な実施形態の概略図と吸収物品の詳細とを示す図１〜図７の図面を参照して、パンツ型の吸収物品を説明する。図面において、同じまたは対応する詳細または構成要素に対して同じ参照符号が用いられる。
【００６８】
図１は、前本体パネル１と後本体パネル２と吸収部材３とを備えるパンツ型の吸収物品の概略図である。前本体パネルと後本体パネルとは、前本体パネルと後本体パネルとの対応する側縁部において側部縫合部５０により互いに結合され、それにより、腰開口５２と２つの足開口５４とを含むパンツのような製品が形成される。
【００６９】
図２は、前本体パネルと後本体パネルとを屈曲させて結合する前を示す、縦中心軸Ｘ−Ｘと横中心軸Ｙ−Ｙとを含む、第１の実施形態の吸収物品の概略図である。物品は、前本体パネル１と、前本体パネルからある距離に配置された後本体パネル２と、吸収部材３とを備え、吸収部材３は、前本体パネルと後本体パネルとの間に架け渡されて前本体パネル及び後本体パネルに取り付けられている。
【００７０】
前本体パネル１は、実質的に長方形であり、腰縁部４と、２つの側縁部５，６と、内縁部７とを含み、内縁部７は、股縁部８と、股縁部の両側において股縁部８と各側縁部５，６との間にある足開口縁部９，１０とを備える。前本体パネルは、弾性糸４４により伸び縮みする。腰弾性体４５は、腰縁部４に隣接して取り付けられる。
【００７１】
後本体パネル２は、腰縁部１２と、２つの側縁部１３，１４と、腰縁部１２と実質的に平行な股縁部１５と、股縁部の両側において股縁部１５と各側縁部１３，１４との間にある足開口縁部１６，１７とを含む。股縁部１５から腰縁部１２までの距離は、側縁部１３，１４の長さより大きい。後本体パネルは、弾性糸４６，４７により少なくとも部分的に伸び縮みする。腰弾性体４８は、腰縁部１２に隣接して取り付けられる。後本体パネルは、互いから異なる距離に取り付けられた弾性糸により得られる異なる弾性の領域を含む。図２に見られるように、腰弾性体の弾性糸が互いの近くに取り付けられ、股部の方向に、互いから距離が次第に大きくなるように弾性糸が取り付けられた２つの領域が続き、股部に最も近い弾性糸が取り付けられない領域が続く。
【００７２】
その後、前本体パネル１の側縁部５，６が、後本体パネル２の対応する側縁部１３，１４に結合されて、パンツのような物品を形成する。
【００７３】
吸収部材３は、実質的に長方形の形状をもち、前取付部２２と後取付部２３と中間股部２４とを備える。
前取付部２２は、前本体パネル１に取り付けられ、後取付部２３は、後本体パネル２に取り付けられる。中間股部２４は、前本体パネル１の内縁部の股縁部８から後本体パネル２の股縁部１５まで延びる。図６に示されるように、吸収部材は、液体浸透性トップシート層１９と吸収体２０と液体不浸透性バックシート層２１とを備える。側部漏れバリア２６は、吸収部材上に提供され得るが、図１から図４には示されない。
【００７４】
横中心軸Ｙ−Ｙに一致する仮想的な中心線２９は、吸収物品を縦方向の長さの等しい２つの部分に分割する。この仮想的な中心線は、吸収部材３の中間股部２４を、仮想的な中心線２９と前本体パネル１の股縁部８との間に位置する前股部３０と、仮想的な中心線２９と後本体パネル２の股縁部１５との間の後股部３１とに分割する。前股部３０は長さＬ１をもち、後股部３１は長さＬ２をもち、前股部の長さＬ１に対する後股部の長さＬ２の比はＬ２／Ｌ１＜０．４、好ましくは、＜０．３、より好ましくは、＜０．２５である。
【００７５】
吸収体２０は、吸収物品の縦方向Ｘ−Ｘにとった全長Ｌ３があり、前取付部２２は、吸収物品の縦方向Ｘ−Ｘにとった長さＬ４があり、後取付部２３は、吸収物品の縦方向Ｘ−Ｘにとった長さＬ５があり、中間股部２４は、吸収物品の縦方向Ｘ−Ｘにとった長さＬ６がある。吸収体２０の長さＬ３に対する中間股部２４の長さＬ６の比は、Ｌ６：Ｌ３＝１：２．４から１：３．５、好ましくは、１：２．５から１：３であり、後取付部２３の長さＬ５に対する前取付部２２の長さＬ４の比は、Ｌ４：Ｌ５＝１：１．４から１：２．５、好ましくは、１：１．６から１：２．３、最も好ましくは、１：１．８から１：２．２である。図２から理解され得るように、吸収体２０は、吸収部材よりわずかに短い。
【００７６】
前足弾性体１１は、前本体パネル１の各足開口縁部９，１０上に配置され、後足弾性体１８は、後本体パネル２の各足開口縁部１６，１７上に配置される。各足開口縁部９，１０上の弾性糸は、互いから分離される。吸収部材３は、中間股部２４の両側に、１つまたは複数の弾性糸３８の形態で足弾性体２５を備える。
【００７７】
図３は、第１の実施形態と同様の、前本体パネルと後本体パネルとを結合する前を示す、第２の実施形態の吸収物品の概略図であるが、後本体パネル２の股縁部１５は、仮想的な中心線２９の前に位置する。
【００７８】
図４は、前本体パネルと後本体パネルとを結合する前を示す、第３の実施形態の吸収物品の概略図である。本実施形態において、足開口弾性体の弾性糸１１は、吸収部材３を横切って延びているので、足開口縁部９，１０の両方の足弾性体のために同じ弾性糸が使用される。弾性糸は、弾性糸が吸収部材３と交差する領域において湾曲４２上に取り付けられるが、吸収部材を横切る直線に沿って糸を取り付けることも可能である。
【００７９】
側部漏れバリアは、すべての実施形態の物品に含まれ得る。これは、図５に示され、図５は、第１の実施形態と同様だが側部漏れバリアをさらに含む、第４の実施形態の概略図である。側部漏れバリア２６は、吸収体２０の外部における吸収部材３の両側に縦方向に配置され、吸収部材の全長に実質的に沿って延び、側部漏れバリア２６の遠位縁部に弾性体２７を備える。側部漏れバリア２６の弾性体２７は長さＬ１０をもち、中間股部２４上の足弾性体２５は長さＬ１２をもち、側部漏れバリアの弾性体２７の長さＬ１０に対する足弾性体２５の長さＬ１２の比は、適切には、Ｌ１２：Ｌ１０＝１：１．２から１：２、好ましくは、１：１．４から１：１．８である。
【００８０】
図６は、仮想的な中心線２９に沿って切断された、図５に示す実施形態の吸収部材の概略断面図である。しかし、図２〜図４に示す実施形態は、この種類の吸収部材をさらに含む。吸収部材は、液体浸透性トップシート層１９と吸収体２０と液体不浸透性バックシート層２１とを備える。吸収体２０は、任意選択的なティッシュの層４３内に封入された吸収材の層２８を含む。
【００８１】
側部漏れバリア２６が含まれ、側部漏れバリア２６の遠位縁部に弾性体２７を備える。側部漏れバリア２６の弾性体２７は、第１の収縮力Ｆ１をもち、中間股部２４上の足弾性体２５は、第２の収縮力Ｆ２をもち、第２の収縮力は、第１の収縮力より大きい。側部漏れバリアは必要に応じて省略されてもよい。
【００８２】
図６は、さらに、吸収部材３がどのようにして中間股部２４内に縁部被覆部材３５を備えるかを示す。縁部被覆部材３５は、別ピースのシート材料からなり、取付線４１に沿ってバックシート２１の衣服側３６に取り付けられ、バックシート２１及びトップシート１９の縦縁部３９，４０の周囲に巻かれ、両側の弾性糸３８の内方側においてトップシートの身体に面する側３７に取り付けられる。縁部被覆部材３５は、最も外側の弾性糸の外部に過剰なシート材料が実質的に存在しないような方法で、バックシート２１とトップシート１９との縦縁部３９，４０の周囲に固く巻かれる。縁部被覆部材３５は、トップシート１９上の取付線４９からさらに内方側に延び、それにより、側部漏れバリア２６が、縁部被覆部材３５と一体的に形成される。この縁部被覆部材は、すべての実施形態に適用され得る。側部漏れバリア２６は、吸収部材３の縦方向端部の各端部において内向きに方向付けされた位置に取り付けられる。張力を印加された弾性体２７により、物品が使用中であるとき、バリアは、バリアの端部における取付領域の間でトップシート１９から離れるように隆起する。
【００８３】
図７は、吸収体内に含まれる吸収層２８の概略上面図である。吸収層２８は、吸収材のエンボス層であり、エンボス領域３４のパターンと、浮き出た、または切り込みの屈曲線３２，３３とを含む。この種類の吸収層は、すべての実施形態において使用され得る。
【符号の説明】
【００８４】
１  前本体パネル
２  後本体パネル
３  吸収部材
４  腰縁部
５  側縁部
６  側縁部
７  内縁部
８  股縁部
９  足開口縁部
１０  足開口縁部
１１  弾性糸、前足弾性体
１２  腰縁部
１３  側縁部
１４  側縁部
１５  股縁部
１６  足開口縁部
１７  足開口縁部
１８  後足弾性体
１９  液体浸透性トップシート層、トップシート
２０  吸収体
２１  液体不浸透性バックシート層、バックシート
２２  前取付部
２３  後取付部
２４  中間股部
２５  足弾性体
２６  側部漏れバリア
２７  弾性体
２８  吸収層、吸収材の層
２９  仮想的な中心線
３０  前股部
３１  後股部
３２  屈曲線
３３  屈曲線
３４  エンボス領域
３５  縁部被覆部材
３６  衣服側
３７  身体に面する側
３８  弾性糸
３９  縦縁部、縁部
４０  縦縁部、縁部
４１  取付線
４２  湾曲
４３  ティッシュの層
４４  弾性糸
４５  腰弾性体
４６  弾性糸
４７  弾性糸
４８  腰弾性体
４９  取付線
５０  側部縫合部
５２  腰開口
５４  足開口
【図１】
0006591547.tif 000002
【図２】
0006591547.tif 000003
【図３】
0006591547.tif 000004
【図４】
0006591547.tif 000005
【図５】
0006591547.tif 000006
【図６】
0006591547.tif 000007
【図７】
0006591547.tif 000008